Podtech/llm-jp-corpus-v4-ja_patent huggingface dataset:
(57)【要約】      （修正有）【課題】柔軟性があり、快適なかき心地が得られる背中かきを提供する。【解決手段】先端付近は背中をかき易くする為、緩やかなカーブを付け、かく部分は、一本一本独立させ柔軟性を持たせた。【選択図】図２
0003151560.tif 000002
【実用新案登録請求の範囲】
【請求項１】
本考案の道具は、背中の届きにくいところを快適にかけるよう、先端付近には背中をかき易くする為、緩やかなカーブを付けかく部分は一本一本独立させ柔軟性を持たせた。
又本考案の材質は竹又はプラスチックを使用する。
【考案の詳細な説明】
【技術分野】
【００１】  本考案は背中をかく時に使用する道具である。
【背景技術】
【００２】  従来の背中をかく道具では、快適に背中をかく道具はなかった。
【考案の開示】
【考案が解決しようとする課題】
【００３】  従来の背中をかく道具では、かゆい所にとどきにくい及びかき心地が良くなかった。
【課題を解決するための手段】
【００４】  従来の背中をかく道具では、硬く柔軟性がない為、痛い感覚はあるものの快適なかきごこちを得る事が出来なかった為、本考案では先端付近は緩やかなカーブを付けかく部分は一本一本独立させ柔軟性を持たせた。
【考案の効果】
【００５】  本考案による道具を使用すれば、かく所に柔軟性がある為、かきごこちがとても快適である。
【考案を実施するための最良の形態】
【００６】本考案に係る背中かきの道具の材料は、竹が一番相応しいが材料確保及び生産性の問題もあるのでプラスチックによる型抜き製造も考えられる。
【図面の簡単な説明】
【００７】
【図１】  本考案に係る背中かきの道具を平面から見た図面である。
【図２】  本考案に係る背中かきの道具を側面から見た図面である。
【符号の説明】
【００８】１    背中かき道具本体
１    プラスチック加工の場合は折り曲げ用ヒンジをつける。
【図１】
0003151560.tif 000003
【図２】
0003151560.tif 000004
【手続補正書】
【提出日】平成20年12月16日(2008.12.16)
【手続補正１】
【補正対象書類名】実用新案登録請求の範囲
【補正対象項目名】全文
【補正方法】変更
【補正の内容】
【実用新案登録請求の範囲】
【請求項１】
快適背中かきにおいて、背中の届きにくいところを快適にかけるよう先端には背中をかき易くする為、緩やかなカーブを付けかく部分は一本一本独立させ柔軟性を持たせた。
【手続補正書】
【提出日】平成21年3月28日(2009.3.28)
【手続補正１】
【補正対象書類名】実用新案登録請求の範囲
【補正対象項目名】全文
【補正方法】変更
【補正の内容】
【実用新案登録請求の範囲】
【請求項１】
背中かきにおいて、背中の届きにくいところを快適にかけるよう先端には背中をかき易くする為、緩やかなカーブを付け、かく部分は一本一本独立させ柔軟性を持たせたことを特徴とする、快適背中かき。
(57)【要約】      （修正有）【課題】汚れ、紛失を防止し、持ち主を明確にできるゴルフクラブヘッドカバーを提供する。【解決手段】ゴルフクラブ用のヘッドカバー１にリング状の紐２とハトメ３を設け、該リング状の紐又はハトメのいずれか或いは両方にキャラクターグッズ５等を取付け可能としたことを特徴とする。【選択図】図１
0003151527.tif 000002
【実用新案登録請求の範囲】
【請求項１】
ゴルフクラブ用のヘッドカバーにリング状の紐とハトメを設け、該リング状の紐又はハトメのいずれか或いは両方にキャラクターグッズを取付け可能としたことを特徴とするゴルフクラブ用のヘッドカバー。
【考案の詳細な説明】
【技術分野】
【０００１】
本考案は、ゴルフクラブヘッドカバーに関するものであり、主としては汚れ、紛失を防止しまた・・u称、パターにおいては持ち主を明確にできるヘッドカバーに関するものである。
【背景技術】
【０００２】
従来ゴルフクラブヘッドカバーには紐又はハトメなど付いていなかった。
【考案の概要】
【考案が解決しようとする課題】
【０００３】
従来、ドライバーを使用するティーグランドでヘッドカバー１をドライバーから取り外しティーグランドの芝の上に置いてドライバーショットを行った後、ヘッドカバー１をドライバーに装着せず芝の上に忘れることがあった。
【０００４】
ゴルフ場などでのグリーン周りでパターを使用する時に、ヘッドカバー４を地面におく又は、ポケットなどに押し込むなどしてパターをしていた。
【０００５】
ゴルフ場で、乗用カートに設けられているパターボックスに同じタイプのパターがあると持ち主が分かりにくい事があった。
【課題を解決するための手段】
【０００６】
上記のような問題点を解決する為に本考案は、ヘッドカバー１，４に紐２又はハトメ３を設けて、ズボンのポケットに入る程度の小さなキャラクターグッズ５等を紐２又は、ハトメ３に取り付けキャラクターグッズ５だけをポケットに入れ、ヘッドカバー１，４はポケットからぶら下がった状態でプレイする事ができる。
【考案の効果】
【０００７】
本考案により、ゴルフ場などでのヘッドカバーの置き忘れ、地面に置かれたときに付く汚れ防止になる。
【０００８】
乗用カートに設けられたパターボックスに入れられたパターは、プレイヤー好みのキャラクターグッズ５等をつける事でプレイヤーが明確になる。
【図面の簡単な説明】
【０００９】
【図１】ドライバーヘッドカバー斜視図
【図２】パターヘッドカバー斜視図
【図３】ヘッドカバー収納例
【考案を実施するための形態】
【００１０】
以下、本考案の実施の形態について、詳細に説明する。
【実施例１】
【００１１】
図１と図３に基づいて説明する、ドライバーヘッドカバー１に設けられた紐２又は、ハトメ３に握りこぶし半分くらいの大きさのキャラクターグッズ５をズボンの後ろポケットに入れヘッドカバー１が、ぶら下がった状態になった後ドライバーショットを打ち、その後ヘッドカバー１をポケットから取りドライバーに装着する。
【実施例２】
【００１２】
図２と図３に基づいてパターヘッドカバー４に設けられた紐２又は、ハトメ３に握りこぶし半分くらいのキャラクターグッズ５をズボンの後ろポケットに入れヘッドカバー４が、ぶら下がった状態になった後パターを打ち、その後ヘッドカバー４をポケットから取りパターに装着する。
【実施例３】
【００１３】
紐２は携帯ストラップなどに使われるような素材を用い、ハトメ３は５ｍｍ程度
の穴の空いた金属製を用いて、取り付け位置は限定せず、ドライバー又はパターのシャフト等に干渉しない場所に取り付ける。
【符号の説明】
【００１４】
１  ドライバーヘッドカバー
２  紐
３  ハトメ
４  パターヘッドカバー
５  キャラクターグッズ
【図１】
0003151527.tif 000003
【図２】
0003151527.tif 000004
【図３】
0003151527.tif 000005
(57)【要約】      （修正有）【課題】２本のリードを片手で持ち、２匹の犬を散歩させる時に犬が動き回り交錯し２本のリードが、ねじれて犬達が身動き出来なくなる事を解消する犬用リードからみ防止持ち手を提供する。【解決手段】リード用フック１に対して３６０度回転するように取り付けられた止め金３に、犬用リード持ち手２を取り付けて、該犬用リードからみ防止持ち手を構成する。【選択図】図１
0003151590.tif 000002
【実用新案登録請求の範囲】
【請求項１】
フックの止め金に犬用リード持ち手を取り付けた犬用リードからみ防止持ち手
【考案の詳細な説明】
【考案の詳細な説明】
【技術分野】
【０００１】からみ防止犬用リードの持ち手に関するものである
【背景技術】
【０００２】従来は、２本の犬用リードを片手で持った時に、ねじれない２本用リード持ち手は無かった
【考案の開示】
【考案が解決しようとする課題】
【０００３】２本のリードを片手で持ち２匹の犬を散歩させる時に犬が動き回り交錯して２本のリードが、ねじれて犬達が身動き出来なくなる事を解消する持ち手を開発しようとするものである
【課題を解決する手段】
【０００４】これを図面１について説明すれば
（イ）フックの止め金▲３▼に持ち手▲２▼取り付ける
【発明の効果】
【０００５】本考案は図１のリード▲５▼がねじれてもフックの止め金▲３▼に対してフック▲１▼が３６０度回転するのでリード▲５▼がねじれても、ねじれをもどす事が出来る
【発明を実施する為の最良形態】
【０００６】図面１のフックの止め金▲３▼に持ち手▲２▼を取り付ける、フック▲１▼がフック止め金▲３▼に対して３６０度回転する構造であり、リード▲５▼がねじれる事はない
【図面の簡単な説明】
【図１】犬用リードからみ防止持ち手の斜視図
【符号の説明】  ▲１▼リード用フック  ▲２▼持ち手  ▲３▼フックの止め金  ▲４▼持ち手用フック  ▲５▼リード
【図１】
0003151590.tif 000003
【手続補正書】
【提出日】平成21年3月31日(2009.3.31)
【手続補正１】
【補正対象書類名】実用新案登録請求の範囲
【補正対象項目名】全文
【補正方法】変更
【補正の内容】
【実用新案登録請求の範囲】
【請求項１】
リード用フックに対して３６０度回転するように取り付けられた止め金に、犬用リード持ち手を取り付けたことを特徴とする、犬用リードからみ防止持ち手。
(57)【要約】【課題】    野菜（肉・魚）等を切る刃物から指先の危険性を防ぐ指先損傷保護具を提供することである。【解決手段】  長方形状板一対の保護具部材は、耐久性を備えたプラスチックの薄板製で湾曲面側と背面側の２面で形成し、背面側中央部に細長形状の指差しガイドを固定、又指差し本体を反転させると指差しの寸法が変り、図２爪の長い又大人、子供にも指先の長さに合せられ使用することができるように解決した。【選択図】図５
0003151585.tif 000002
【実用新案登録請求の範囲】
【請求項１】
長方形状の薄板で湾曲面側と背面側の２面で形成し、背面側中央部に設けた指差しガイドを挟み、湾曲面に刃物を添え野菜（肉・魚）等を切る指先損傷保護具。
【考案の詳細な説明】
【技術分野】
【０００１】  本考案は、野菜（肉・魚）等を切る刃物から指先の危険性を防ぐ指先損傷保護具である。
【背景技術】
【０００２】  従来より野菜等を切る際、手の指先を曲げ直接刃物に触れ刃物からの危険性を防ぐものはなかった。【０００３】  一方近年は爪を長くし、又着色したり、刃物を使う事を苦手とする人が多々見られ、この指先損傷保護具が開発されれば、家庭で又学校での料理学習の時間に使えば危険性を防ぎ安心して野菜等を切る事ができる。
【考案の開示】
【考案が解決しようとする課題】
【０００４】  そこで、この考案の課題は、野菜等を切る際、手の指先を危険性から守る指先損傷保護具を提供することである。
【課題を解決するための手段】
【０００５】  上記の課題を解決するために、この考案は湾曲面側と背面側の２面で形成し、背面側に刃物を添え野菜等を切る指先損傷保護具である。
【考案の効果】
【０００６】  以上のようにこの考案の指先損傷保護具はプラスチックで耐久性を備えた薄板製で形成し、刃物の危険性を防ぎ、安全で安心し大人、子供も使用することができる。【０００７】本考案は図１，２で示すように、この指先損傷保護具は、耐久性を備えたプラスチックの長方形状と細長形状の薄板で形成し、背面側左右面の中心線と上下面の中心線を４対６の割付で中心線とし、指差しガイドを固定、図２それによって、指差しガイドの上下面からの寸法が変るため、爪の長い又大人、子供にも指先の長さに合わせられ使用することができる。【０００８】  この指先損傷保護具の特徴は、図１，２で示すように耐久性を備えたプラスチックで湾曲面と背面の２面で形成し、背面側に指差しガイドを設け、その指差し本体を反転させると指差しガイドの上下面の寸法が変わり爪の長い又大人、子供にも指先の長さに合せられ、そして湾曲面に刃物を添え野菜等が美しく楽に切れ、又手の指先も湾曲面からはみ出ないため安全で安心して使用する事ができる。
【図面の簡単な説明】
【０００９】
【図１】  本考案の指先損傷保護具の正面図
【図２】  本考案の指先損傷保護具の背面図
【図３】  本考案の指先損傷保護具の側面図
【図４】  本考案の指先損傷保護具の平面図
【図５】  本考案の指先損傷保護具の俯瞰図
【符号の説明】
【００１０】  １．プラスチック
２．接着剤
【図１】
0003151585.tif 000003
【図２】
0003151585.tif 000004
【図３】
0003151585.tif 000005
【図４】
0003151585.tif 000006
【図５】
0003151585.tif 000007
【手続補正書】
【提出日】平成21年3月27日(2009.3.27)
【手続補正１】
【補正対象書類名】実用新案登録請求の範囲
【補正対象項目名】全文
【補正方法】変更
【補正の内容】
【実用新案登録請求の範囲】
【請求項１】
長方形状の薄板で湾曲面側と背面側の２面で形成し、背面側中央部に設けた指差しガイドを２本指をもって挟み、湾曲面に刃物を添え野菜．肉又は魚を切る、指先損傷保護具。
(57)【要約】【課題】毛羽が出にくく、しかも吸水性および保水性の良好な、モップの払拭部に用いるのに好適な撚糸を提供する。【解決手段】０．０１〜１０デニールの極細単糸１１の繊維束で構成された長繊維１０と、短繊維の紡績糸２０と、を撚り合わせて撚糸１を構成したのである。短繊維のみの撚糸よりも毛羽が抑制され、耐洗濯性が得られる。また極細単糸１１の繊維束からなる長繊維１０が毛細管現象ですばやく水分を吸水し、これを短繊維２０が保水するので、双方の連動により良好な吸水保水性が得られる。この撚糸１をモップの払拭部の全体に用いると、ムラのない均一な吸水保水性が得られる。【選択図】図１
0003151867.tif 000002
【実用新案登録請求の範囲】
【請求項１】
０．０１〜１０デニールの単糸１１の繊維束で構成された長繊維１０と、短繊維の紡績糸２０と、を撚り合わせてなる撚糸。
【請求項２】
複数の請求項１に記載の撚糸１からなる払拭部を備えるモップ。
【考案の詳細な説明】
【技術分野】
【０００１】
この考案は、モップの払拭部に用いるのに好適な撚糸、および払拭部がその撚糸からなるモップに関する。
【背景技術】
【０００２】
モップの払拭部に用いる撚糸として、綿等の紡績された短繊維（ステープル）同士を撚り合せた紡績糸がよく用いられている。
これは短繊維からなる紡績糸は吸水性、保水性に優れるためであるが、一方でこのような紡績糸は、洗濯等すると毛羽が立ちやすい欠点がある。
ここでモップは繰り返し洗濯して使用するため、その払拭部に用いる撚糸に毛羽が出やすいのは好ましくない。
【０００３】
他方でモップの払拭部に用いる撚糸として、洗濯等しても毛羽が出ないように、ナイロン等の長繊維（フィラメント）同士を撚り合せたものを用いることも考えられる。
しかし、このような撚糸は、繊維自体には吸水性がなく、毛細管現象のみによって吸水するため、保水性が不十分である。そのため、モップの水切れがよすぎて、清掃作業時に給水をおこなう頻度が高くなってしまい、手間がかかる。
【０００４】
さらに、モップの払拭部に短繊維からなる撚糸と長繊維からなる撚糸とを混合して用いることも考えられる。特許文献1には、マットであるが、短繊維からなる撚糸と長繊維からなる撚糸とを混合して用いる例が示されている。
この場合は、短繊維からなる撚糸のみで払拭部を構成した場合に比べて毛羽が立ちにくく、また長繊維からなる撚糸のみで払拭部を構成した場合に比べて吸水性および保水性が高い。
しかし、短繊維からなる撚糸の部分と長繊維からなる撚糸の部分とで吸水性および保水性のムラが生じてしまう問題がる。
【先行技術文献】
【特許文献】
【０００５】
【特許文献１】実開平６−４８５７１号公報
【考案の概要】
【考案が解決しようとする課題】
【０００６】
そこで、この考案の解決すべき課題は、毛羽が出にくく、しかも吸水性および保水性の良好な、モップの払拭部に用いるのに好適な撚糸を提供することである。
【課題を解決するための手段】
【０００７】
上記した課題を解決するため、考案にかかる撚糸を、０．０１〜１０デニールの単糸の繊維束で構成された長繊維と、短繊維の紡績糸と、を撚り合わせて構成したのである。
そして、この撚糸からなる払拭部を備えるモップを構成したのである。
【０００８】
長繊維と短繊維を撚り合わせて撚糸を形成したので、短繊維のみからなる撚糸よりも毛羽が抑制され、耐洗濯性が得られる。
また、極細の単糸の繊維束で構成された長繊維が毛細管現象ですばやく水分を吸水し、これを短繊維が保水するので、長繊維と短繊維が連動して非常に良好な吸水保水性が得られる。
さらに、この撚糸をモップの払拭部の全体に用いると、短繊維からなる撚糸と長繊維からなる撚糸とを混合して用いる場合と異なり、払拭部の全域でムラのない均一な吸水保水性が得られる。
【０００９】
なお、この撚糸の用途は、モップに限られず、マット類、カーペット類などに用いてもよい。
また、長繊維は、単糸が０．４〜１デニールの繊維束で構成されているのがより好ましい。短繊維の紡績糸の繊度はとくに限定されないが、１〜１０００デニールが好ましく、１５〜２５デニールがより好ましい。
【考案の効果】
【００１０】
考案にかかる撚糸を以上のように構成したので、毛羽が出にくく、しかも吸水保水性が良好となった。
【図面の簡単な説明】
【００１１】
【図１】撚糸の平面図
【考案を実施するための形態】
【００１２】
以下、図面を参照しつつ、この考案の実施形態について説明する。
図１に示す実施形態の撚糸１は、モップの払拭部として好適に用いられる。
この撚糸１は、長繊維１０と、短繊維の紡績糸２０と、を撚り合わせ、場合により熱融着糸３０で融着して構成されており、短繊維の毛羽立ちが抑制されている。
【００１３】
詳しくは、長繊維１０は、繊度が０．０１〜１０デニール、より好ましくは０．４〜１デニールの極細単糸１１の繊維束から構成される。
この極細長繊維１０の材質はとくに限定されないが、ナイロン、ポリエステル、ポリプロピレンが例示される。
また、長繊維１０の本数はとくに限定されないが、１〜２０本が例示される。同様に、長繊維１０を構成する極細単糸１１の本数もとくに限定されないが、１〜５００本が例示される。
【００１４】
一方、短繊維の紡績糸２０は、その繊度はとくに限定されないが、たとえば綿であれば１０〜２０番手が例示される。
この短繊維の紡績糸２０の材質はとくに限定されないが、綿、ウール、麻、アクリル、ナイロン、ポリエステル、ポリプロピレンが例示される。
また、短繊維の紡績糸２０の本数もとくに限定されないが、たとえば１〜２０本である。なお、この紡績糸２０は、短繊維の中に熱融着性のわたを混入し繊維を融着して構成してもよい。
【００１５】
より具体的には、０．５２デニールの単糸（モノフィラメント）１１を２８８本集めた繊維束からなる長繊維（マルチフィラメント）１０と、１０本の２０番手の綿糸（短繊維の紡績糸）２０とを、１本の低融点の熱融着糸３０を中心に撚り合わせ、熱セットしてモップ用の撚糸を構成することが例示できる。
【００１６】
以上の構成の撚糸１をモップの払拭部に用いると、まず極細単糸１１の繊維束からなる長繊維１０が毛細管現象ですばやく水分を吸収し、ついでその水分を短繊維２０が内部に保持する。
このように長繊維１０と短繊維２０が連動することで、それぞれを個別に用いていた場合では得られない非常に良好な吸水保水性が得られる。またそれぞれを個別に用いていた場合と異なり、ムラのない吸水保水性が得られる。
【００１７】
実施形態の撚糸１は、モップの他にも、カーペット、タイルカーペット、センターラグ、ダストコントロールマット、バスマット等にも用いることができる。
【００１８】
長繊維１０と短繊維２０の撚り合せの順番、構造はとくに限定されない。たとえば、複数の長繊維１０同士を撚り合せ、複数の短繊維２０同士を撚り合せた後に、その撚り合せた長繊維１０と撚り合せた短繊維２０とをさらに撚り合わせて撚糸１としてもよい。また、単数の長繊維１０と単数の短繊維２０とを撚り合せ、こうしてできた撚糸を複数本さらに撚り合せて撚糸１としてもよい。また各工程における撚り合せの方向を同じ方向としてもよいし、逆方向としてもよい。
【符号の説明】
【００１９】
１  撚糸
１０  長繊維
１１  極細単糸
２０  紡績糸
３０  熱融着糸
【図１】
0003151867.tif 000003
(57)【要約】      （修正有）【課題】遮熱塗料の汚れを防止するとともに、好みの色彩が得られる遮熱ヘルメットを提供する。【解決手段】ヘルメット主体２の内面と外面との双方に遮熱塗料３を塗布した後、該遮熱塗料３の表面に保護塗料４を塗布する。外部からヘルメットに照射される直射日光等の熱エネルギーが遮熱塗料によってヘルメット内への浸入が抑制されることになる。また、保護塗料によって遮熱塗料への塵埃の付着が防止されるとともに、該保護塗料によってヘルメットの用途に応じた色彩あるいは模様を得ることができる。【選択図】図１
0003151870.tif 000002
【実用新案登録請求の範囲】
【請求項１】
ヘルメット主体（２）の内面と外面との双方に遮熱塗料（３）を塗布した後、該遮熱塗料（３）の表面に保護塗料（４）を塗布したことを特徴とする遮熱ヘルメット。
【考案の詳細な説明】
【技術分野】
【０００１】
本考案は、直射日光等によるヘルメット内の昇温を防止した遮熱ヘルメットに関するものである。
【背景技術】
【０００２】
屋外作業時、あるいは通学時等に着用する耐衝撃性の高い保安用のヘルメットは、気密素材で形成されているため、内部に熱がこもり易く、これを防止する対策としてヘルメット主体に遮熱（断熱）塗料を塗布したものがあった。遮熱効果の高い遮熱塗料として、ビーズ状にした特殊セラミックとアクリルシリコン樹脂とをハイブリッドして塗料化したものがあるが、このような遮熱塗料をヘルメット主体に塗布すると、塗面が粗くなって汚れ易くなるものであった。
【先行技術文献】
【特許文献】
【０００３】
【特許文献１】特開２０００−２７０２０号公報
【考案の概要】
【考案が解決しようとする課題】
【０００４】
本考案は、ヘルメット主体に塗布した遮熱塗料の汚れを防止するとともに、好みの色彩・模様が得られる遮熱ヘルメットを得ることを目的とする。
【課題を解決するための手段】
【０００５】
本考案は、前記目的を達成するために、ヘルメット主体の内面と外面との双方に遮熱塗料を塗布した後、該遮熱塗料の表面に保護塗料を塗布するようにしたものである。
【考案の効果】
【０００６】
本考案は、外部からヘルメットに照射される直射日光等の熱エネルギーが遮熱塗料によってヘルメット内への浸入が抑制されることになる。また、保護塗料によって遮熱塗料への塵埃の付着が防止されるとともに、該保護塗料によってヘルメットの用途に応じた色彩あるいは模様を得ることができる。
【図面の簡単な説明】
【０００７】
【図１】本考案実施例を示すヘルメットの断面図である。
【図２】図１のＡ部拡大断面図である。
【図３】ヘルメット内の昇温実験図である。
【考案を実施するための形態】
【０００８】
図１、図２において、１は作業用のヘルメットであり、ヘルメット主体２の外面及び内面に遮熱（断熱）塗料３を塗布し、該遮熱塗料３の表面に保護塗料４を塗布してなる。
【０００９】
前記ヘルメット主体２は、ポリエチレン、ポリカーボネート、ＡＢＳ樹脂等、耐衝撃性のある樹脂により形成されている。前記遮熱塗料３は、ビーズ状にした特殊セラミックとアクリルシリコン樹脂とをハイブリッドして塗料化した混成物（本例では商品名「ガイナ」；株式会社日進産業製）からなり、これを前記ヘルメット主体２に４００μｍ以上の厚さで塗布する。
【００１０】
前記保護塗料４は、純ウレタン塗料（本例では商品名「ＲＥＴＡＮ ＰＧ ８０III」；関西ペイント株式会社製）からなり、前記遮熱塗料３が硬化した後、該遮熱塗料３の表面に１００μｍ以上の厚さで塗布し、該保護塗料４により、前記遮熱塗料３の表面を平滑にする（図２）とともに、ヘルメット１の用途に応じた色彩あるいは模様を形成する。
【００１１】
図３は前記ヘルメット１の遮熱実験例であり、台５に前記ヘルメット１を載置し、該ヘルメット１の内部上面に熱電対６を固着し、該熱電対６の検知信号をリード線７で外部の計測器８に接続する。そして、ヘルメット１の上方約１０ｃｍ位置にランプ（例えば５００Ｗのタングステンランプ）９を設置し、該ランプ９から前記ヘルメット１に向けて投光し、前記熱電対６を介して計測器８でヘルメット１の内部上面の温度を計測する。
前記実験例による計測結果は表１のようになった。
【００１２】
【表１】
0003151870.tif 000003
【００１３】
表１によれば、ヘルメット主体２に遮熱塗料３及び保護塗料４を塗布しないものは、ランプ９を６０分間投光した際に、ヘルメット１の内部上面が１０分で１２．５度上昇し、その後は時間とともに昇温し、６０分になると１３．６℃上昇することになる。また、ヘルメット主体２の内面のみに遮熱塗料３及び保護塗料４を塗布したものは、ヘルメット１の内部上面が１０分で９．４度上昇し、その後は時間とともに若干昇温し、６０分になると１０．６℃上昇することになる。また、ヘルメット主体２の内面と外面とに遮熱塗料３及び保護塗料４を塗布したものは、ヘルメット１の内部上面が１０分で４．４度上昇し、その後は殆ど昇温せず、６０分になると４．９℃上昇することになる。
【００１４】
この結果、ヘルメット主体２の内面と外面とに遮熱塗料３及び保護塗料４を塗布すると、ヘルメット１の遮熱効果が頗る高くなることが判る。また、遮熱塗料３が保護塗料４によって被覆されるので、遮熱塗料３への塵埃の付着が防止されるとともに、該保護塗料４によってヘルメット１の用途に応じた色彩あるいは模様を形成することができる。
【符号の説明】
【００１５】
１          遮熱ヘルメット
２          ヘルメット主体
３          遮熱塗料
４          保護塗料
５          台
６          熱電対
７          リード線
８          計測器
９          ランプ
【図１】
0003151870.tif 000004
【図２】
0003151870.tif 000005
【図３】
0003151870.tif 000006
(57)【要約】      （修正有）【課題】広い部分と細かい部分のいずれも消去が可能であり、しかも面白みのある消しゴムを提供する。【解決手段】鯛の顔、胴、ひれの部分を有し左右に二分割可能とした皮部１０ａ，１０ｂと、これら皮部１０ａ，１０ｂの間に挟みこまれるあんこ部２０を消しゴムで成形した鯛焼きの形状をした消しゴムであって、前記左右の皮部１０ａ，１０ｂの内側に同一形状の凹部１１，１１を対向して形成し、前記あんこ部２０の外形を前記凹部と同じ形状とすることにより、前記凹部の内部に前記あんこ部を収納する。【選択図】図２
0003151833.tif 000002
【実用新案登録請求の範囲】
【請求項１】
鯛の顔、胴、ひれの部分を有し左右に二分割可能とした皮部と、これら皮部の間に挟みこまれるあんこ部を消しゴムで成形した鯛焼きの形状をした消しゴムであって、
前記左右の皮部の内側に同一形状の凹部を対向して形成し、前記あんこ部の外形を前記凹部と同じ形状とすることにより、前記凹部の内部に前記あんこ部を収納したことを特徴とする消しゴム。
【請求項２】
前記左右皮部の前記凹部の周縁の内側における対向する一部に溝を設けるとともに、前記あんこ部の前記溝と対応する位置に、前記溝を貫通して前記皮部の外に突出するはみ出し部を設けたことを特徴とする請求項１記載の消しゴム。
【請求項３】
前記左右の皮部の内側に係合用の突起を設け、前記あんこ部に前記突起の貫通する孔を設けたとことを特徴とする請求項１又は２記載の消しゴム。
【請求項４】
前記溝とはみ出し部が、鯛のひれの部分に形成してあることを特徴とする請求項１〜３のいずれかに記載の消しゴム。
【考案の詳細な説明】
【技術分野】
【０００１】
本考案は、広い部分と細かい部分のいずれに対する消去をも可能とした消しゴムに関する。
【背景技術】
【０００２】
従来の消しゴムにおいて細かい部分を消去するときは、消しゴムの角や縁の部分を使用していた。しかし、しばらく使用すると、角や縁の部分も丸くなってしまい、細かい部分を良好に消去することができなかった。
【０００３】
そこで、長い間にわたって細かい部分の消去を可能とした消しゴムが種々提案されており、たとえば、四つ長方体に分割成形した消しゴムを一つのケース内に並べ替え可能に収納した消しゴムがある。
【先行技術文献】
【特許文献】
【０００４】
【特許文献１】特開平１０−２８７０９４号公報
【考案の概要】
【考案が解決しようとする課題】
【０００５】
しかしながら、特許文献１に記載の消しゴムは、ケースが消しゴム以外の材料で形成されておりコスト高になるという問題がある。
【０００６】
本考案は、上記の事情にかんがみなされたものであり、全体を消しゴムで成形しながら広い部分と細かい部分の消去が可能であり、しかも、全体形状を鯛焼きに模した面白みのある消しゴムの提供を目的とする。
【課題を解決するための手段】
【０００７】
上記目的を達成するため、本考案の消しゴムは、鯛の顔、胴、ひれの部分を有し左右に二分割可能とした皮部と、これら皮部の間に挟みこまれるあんこ部を消しゴムで成形した鯛焼きの形状をした消しゴムであって、前記左右の皮部の内側に同一形状の凹部を対向して形成し、前記あんこ部の外形を前記凹部と同じ形状とすることにより、前記凹部の内部に前記あんこ部を収納した構成としてある。
【考案の効果】
【０００８】
本考案によれば、鯛焼きの皮部で広い部分の消去を行い、細かい部分は、分解して取り出したあんこ部で消去することができる。
【図面の簡単な説明】
【０００９】
【図１】本考案の実施形態にかかる消しゴムの右側面図である。
【図２】本考案の実施形態にかかる消しゴムの背面図である。
【図３】本考案の実施形態にかかる消しゴムの斜視図である。
【考案を実施するための最良の形態】
【００１０】
以下、本考案のシール部材の好ましい実施形態について、図面を参照しつつ説明する。
【００１１】
実施形態にかかる消しゴムは、全体が鯛焼きの形状をしている。この鯛焼き形状をした消しゴムは、左右に分割することのできる皮部１０ａ，１０ｂと、この皮部１０ａ，１０ｂの間に挟みこまれるあんこ部２０からなっている。
左右の皮部１０ａ，１０ｂの表面には鯛の顔、胴及びひれを模した形状が形成してあり、また、内側には皮部１０ａ，１０ｂの外形とほぼ相似形をした凹部１１，１１が形成してある。皮部１０ａ，１０ｂを対向させて当接させ、この凹部１１，１１を重なり合わせることによって、皮部１０ａ，１０ｂの内部に空間を形成する。
【００１２】
あんこ部２０は、凹部１１，１１の形状と同じ外形で、かつ、凹部１１，１１によって形成された空間の高さと同じ厚みとなっており、この空間に収納されるようになっている。
【００１３】
皮部１０ａ，１０ｂにおける凹部１１，１１の周縁１２，１２は、皮部１０ａ，１０ｂを重ねたときに当接する部分であるが、その周縁１２，１２の尾びれに位置する一部には溝１３，１３が形成してある。この溝１３，１３は凹部１１，１１から外側まで形成してあり、ここにあんこ部２０のはみ出し部２１がはめ込まれ外部まで貫通するようになっている。これによって、鯛焼きの尾びれに部分からあんこがはみ出しているような形態を表している。
【００１４】
皮部１０ａ，１０ｂの凹部１１，１１には係合突起１４，１４が形成してあり、皮部１０ａ，１０ｂを重ねたときに、これら突起１４，１４が係合して左右の皮部１０ａ，１０ｂが外れないようになっている。
あんこ部２０における、突起部１４，１４と対応する位置には孔２２，２２が形成してあり、突起部１４，１４が貫通するようになっている。
【００１５】
このような構成からなる消しゴムは、通常、皮部１０ａ，１０ｂの内部にあんこ部２０を収納した鯛焼き形状の一体的な消しゴムとして保管・使用するが、消去する部分が細かいときには、皮部１０ａ，１０ｂを分割して内部から肉厚の薄いあんこ部２０を取り出し、このあんこ部２０の外周縁で消去作業を行う。
【符号の説明】
【００１６】
１０ａ，１０ｂ  皮部
１１，１１  凹部
１２，１２  周縁
１３，１３  溝
１４，１４  係合突起
２０  あんこ部
２１  はみだし部
２２  孔
【図１】
0003151833.tif 000003
【図２】
0003151833.tif 000004
【図３】
0003151833.tif 000005
(57)【要約】      （修正有）【課題】特別な容器及び包材を必要とせず、鯨の風味豊かで、かつ、表面がべとついて手が汚れることなく手軽に食することができる鯨肉使用の珍味食品を提供する。【解決手段】魚肉すり身に対し５〜３０重量％の鯨肉を含有する可食シート１，１′を作成し、該シート間に、チーズ２、魚肉すり身のいずれかを挟み込み、成形後の水分含有量が１０〜２０重量％となるように調製し、適当な大きさの棒状体或いは板状体に切断し形成する。これにより、鯨の風味と挟み込まれたチーズあるいは魚肉すり身の食材の風味と相まって美味である上に常温で扱えるので手軽に食することが出来る。【選択図】図２
0003151814.tif 000002
【実用新案登録請求の範囲】
【請求項１】
魚肉すり身に対して５〜３０重量％の鯨肉を含有している可食シートを作成し、該シート間に、チーズ、魚肉すり身のいずれかを挟み込み、適当な大きさの棒状体或いは板状体の形成品に切断したことを特徴とする鯨肉含有可食シートによる珍味食品。
【請求項２】
魚肉する身に対して鯨肉を５〜３０重量％含有した可食シートの水分が１０〜２０重量％であることを特徴とする請求項１に記載の鯨肉含有可食シートによる珍味食品。
【請求項３】
上記シート間に挟み込まれているチーズあるいは魚肉すり身に、ごま、破砕した豆類あるいはナッツ類、乾燥にんにくチップ、乾燥生姜チップのいずれかが練り込まれていることを特徴とする請求項１に記載の鯨肉含有可食シートによる珍味食品。
【考案の詳細な説明】
【技術分野】
【０００１】  本考案は鯨肉を使った珍味食品に関する。
【背景技術】
【０００２】  鯨肉を使った加工食品は、刺身、ベーコン、大和煮、竜田揚げ等が市販されている。また、特開２００４−１５９５７７のように鯨肉片とチーズ片を組み合わせて一体化させた食品もある。【０００３】
【特許文献１】特開２００４−１５９５７７
【考案の開示】
【考案が解決しようとする課題】
【０００４】  しかしながら、鯨肉特有の畜肉臭のために好まない人もいる。
また、従来の鯨肉加工食品の殆どは水分含有量が３０％を超えたものが多く、それらの流通には冷凍または冷蔵設備を要し、常温流通であってもレトルト、缶詰などの特殊な包材あるいは容器形態となって嵩張る上、食品表面がべとついて指が汚れるので手軽に食することが難しい。【０００５】  本考案は、特別な容器及び包材を必要とせず、かつ鯨肉特有の畜肉臭を軽減し、その食品表面がべとつかなないで手が汚れることなく手軽に食することができる鯨肉使用の珍味食品を提供する。
【課題を解決するための手段】
【０００６】  本考案は、鯨肉をミンチ状に砕き、魚肉すり身に対して５〜３０重量％を加えて可食シートを作成する。この場合、鯨肉の添加量が５重量％未満の場合は鯨の風味が少な過ぎ、３０重量％以上では鯨肉特有の畜肉臭が強過ぎ、また色彩も褐色を帯びて見た目が悪くなる。【０００７】  次工程として、前記シート間にチーズ、魚肉すり身などのペースト状食材を挟み込む。この際、チーズの場合は前記シートで挟んだ後で加熱圧着等の既知の方法で結着させ板状に成形する（図１）。【０００８】  また、魚肉すり身を挟む場合は、前記シートの片面に魚肉すり身を任意の厚みで塗布し、その上に前記シートを重ね、蒸気加熱等で加熱形成後、その形成品の水分含有量が１０〜２０％となるように乾燥し、板状に成形する（図４）。【０００９】  前記挟み込み工程後は適当な大きさに切断して棒状体或いは板状体を成形する。これらの大きさは幅が３ｍｍ〜１２ｍｍ、長さが１０ｃｍ〜１５ｃｍのスティック体（図２）か、或いは幅が１．５ｃｍ〜４ｃｍ、長さが３ｃｍ〜７ｃｍの小板体（図３）となされる。
本考案の形成品の水分含有量は１０〜２０重量％となるように乾燥されているので、汎用されている袋状の食品用の包材で包装され、常温流通が可能である。【００１０】  前記と同様の方法で、前記シートに挟みこむチーズ若しくは魚肉すり身にごま、破砕した豆類あるいはナッツ類、乾燥にんにくチップ、乾燥生姜チップ等を練り込んだペーストを挟み込み、板状に成形する（図５）。
【考案の効果】
【００１１】  本考案により、表面がべとついて手が汚れることなく、鯨の程好い風味とシートに挟まれたチーズ等の食材の風味と相まって美味であり、かつ特別な容器及び包材を必要としないので場面を選ばず手軽に食することができる鯨肉使用の珍味食品を提供することができる。
【考案を実施するための最良の形態】
【００１２】  魚肉すり身１００部に対し鯨肉１０部を加え３部の食塩と共に擂潰し、そこに澱粉、調味料を加えよく混練する。この様にして出来た生地を既知の方法で水分含有量が１０〜２０重量％のシートを成形する。【００１３】  前記シートに挟む食材がチーズの場合は溶解圧着等の既知の方法で前記シートに挟み込み、あるいは前記シートに挟む食材が魚肉すり身の場合は前記シートの片面に３〜１０ｍｍの厚さになるように魚肉すり身を塗布し、その上から前記シートを重ね、蒸気加熱にて魚肉すり身を凝固させた後、成形品の水分含有量が１０〜２０％になるように乾燥する。成形品の水分含有量が１０％未満の場合は前記シートが反って結着部から剥れる。また、成形品の水分含有量が２０％を超えた場合はカビが発生しやすくなる。【００１４】  次に前記成形品を適当な大きさに切断して棒状体或いは板状体を成形する。これらの大きさは専ら幅が３ｍｍ〜６ｍｍ、長さが１０ｃｍ〜１５ｃｍのスティック体か、或いは幅が２ｃｍ〜３ｃｍ、長さが３ｃｍ〜７ｃｍの小板体となされる。
【産業上の利用可能性】
【００１５】  本考案により、鯨の風味豊かな珍味食品を常温で扱うことが出来、かつ手軽に食し、鯨の味を楽しむことが出来る。
【図面の簡単な説明】
【００１６】
【図１】２枚の鯨肉含有シートにチーズを挟み込み一体化した状態を表す斜視図である。
【図２】上記をスティック状に裁断成形した状態を表す斜視図である。
【図３】上記を小板体に裁断成形した状態を表す斜視図である。
【図４】本考案品の製造状態図を説明するものであって、２枚の鯨肉含有シートに魚肉すり身を挟み込んでいる工程を横から見た説明図である。
【図５】ごまを練り込んだチーズと、また乾燥生姜チップを練り込んだ魚肉すり身を、それぞれ２枚の鯨肉含有シートに挟み込んで一体化させた後、スティック状に裁断成形した状態を表す斜視図である。
【符号の説明】
【００１７】  １、１´  鯨肉含有シート
２        チーズ
３        魚肉すり身
４        ごま
５        乾燥生姜チップ
【図１】
0003151814.tif 000003
【図２】
0003151814.tif 000004
【図３】
0003151814.tif 000005
【図４】
0003151814.tif 000006
【図５】
0003151814.tif 000007
(57)【要約】      （修正有）【課題】力強く押圧することができ、効率よくマッサージを行い、血行をよくして健康を増進するマッサージ用のローラーを提供する。【解決手段】貫通孔をもつ回転体のまわりに貫通孔をとおして、しっかりと弾性体を固定した。貫通孔をとおして弾性体が回転体をおおっているので強く押圧しても弾性体がずれることがなく、強く押圧でき、効率よくマッサージすることができる。【選択図】図８
0003151813.tif 000002
【実用新案登録請求の範囲】
【請求項１】
回転軸に貫通孔があり、この貫通孔のまわりに合成樹脂の弾性体をつけたマッサージ用のローラー。
【考案の詳細な説明】
【技術分野】
【０００１】この考案は顔および他の体の皮膚を押圧回転し、マッサージを行う美顔、美肌用具に関する。
【背景技術】
【０００２】従来のローラー式マッサージ用具には［図１］が左側面図で［図２］が平面図の円筒型の回転体に、［図３］が左側面図で［図４］が平面図の弾性体をかぶせて、［図５］が左側面図で［図６］が平面図の、皮膚に押圧して使用するマッサージ用のローラーがある。
【考案の開示】
【考案が解決しようとする課題】
【０００３】従来のマッサージ用のローラーは［図５］［図６］のように回転体をおおうように弾性体をかぶせてあるだけなので、強くローラーを押しつけると回転体から弾性体がずれて、効率よくマッサージができなくなる。
【課題を解決するための手段】
【０００４】［図７］が左側面図で［図８］が平面図の貫通孔をもつ回転体のまわりに、［図９］が左側面図で［図１０］が平面図の弾性体をとりつけ、［図１１］が左側面図で［図１２］が平面図のマッサージ用のローラーを提供する。
【考案の効果】
【０００５】［図１１］が左側面図で［図１２］が平面図の本考案のローラーは、［図７］が左側面図で［図８］が平面図の回転体の貫通孔部分と外側を、［図９］が左側面図で［図１０］が平面図の弾性体がおおい、力が加わっても回転体と弾性体がずれることがない。
【実施例】
【０００６】［図１１］が左側面図で［図１２］が本考案のローラーは回転体の貫通孔を弾性体が貫通しておおっているので、強く押圧しても弾性体がずれることがない。
【産業上の利用可能性】
【０００７】本考案のマッサージ用のローラーは力強く押圧することができるので、効率よくマッサージを行い、血行をよくして健康を増進する。
【図面の簡単な説明】
【０００８】
【図１】従来のマッサージ用回転体の左側面図
【図２】従来のマッサージ用回転体の平面図
【図３】従来のマッサージ用弾性体の左側面図
【図４】従来のマッサージ用弾性体の平面図
【図５】従来のマッサージ用ローラーの左側面図
【図６】従来のマッサージ用ローラーの平面図
【図７】本考案のマッサージ用回転体の左側面図
【図８】本考案のマッサージ用回転体の平面図
【図９】本考案のマッサージ用弾性体の左側面図
【図１０】本考案のマッサージ用弾性体の平面図
【図１１】本考案のマッサージ用ローラーの左側面図
【図１２】本考案のマッサージ用ローラーの平面図
【図１】
0003151813.tif 000003
【図２】
0003151813.tif 000004
【図３】
0003151813.tif 000005
【図４】
0003151813.tif 000006
【図５】
0003151813.tif 000007
【図６】
0003151813.tif 000008
【図７】
0003151813.tif 000009
【図８】
0003151813.tif 000010
【図９】
0003151813.tif 000011
【図１０】
0003151813.tif 000012
【図１１】
0003151813.tif 000013
【図１２】
0003151813.tif 000014
(57)【要約】      （修正有）【課題】１枚扉の上側だけに交差リンク式左右開き蝶番を取付した場合に於いて、扉の自重等に影響をうけることなく、安全で安定的な扉の開閉動作を実現する扉の保持構造を提供する。【解決手段】１枚扉の上部に交差リンク式左右開き蝶番ａを設け、１枚扉の下方右側及び下方左側にボールプランジ等を設け、門口下部ｇにボールプランジャｅの通過する溝ｆを設け、その溝により扉の回転軌跡を制限する。【選択図】図１
0003151819.tif 000002
【実用新案登録請求の範囲】
【請求項１】
１枚扉の上部に交差リンク式左右開き蝶番を設け、１枚扉の下方右側及び下方左側にボールプランジ等を設け、門口下部にボールプランジャの通過する溝を設け、その溝により扉の回転軌跡を制限することを目的とする扉構造。
【考案の詳細な説明】
【考案の詳細な説明】
【産業上の利用分野】
【０００１】  本考案は両開き扉の保持構造に関する。
【背景技術】
【０００２】  従来、リンク式機構付きの１枚扉の両側を開閉させる構造に於いては扉の上下両側にリンク機構を設ける必要があった。
実願平４−６４２８０や実願２００８−７６３１において提案した両側開き方式のようにこの方法を人が出入りする建築物における扉に応用した場合、特に扉の下側のリンク機構が人の出入りに大きな障害となる問題が発生する。
本考案における提案は実願２００８−９２０８において提案した交差リンク式左右開き蝶番の長所を生かしつつ、一方で扉の下側に於ける人の出入りの障害という問題を解決するものである。
【考案が解決しようとする課題】
【０００３】  そもそも扉の両側を開閉させる為に上側だけに交差リンク式左右開き蝶番を取り付けした場合、扉はその自重により垂れ下がり、正常な開閉操作が困難となる。
又、冷蔵庫のようにピンとピンキャッチからなる左右開き方式も一般に知られているが、脱落防止とその制御の為に複雑な機構が必要となっている。
一方で開閉交差リンク式左右開き蝶番は脱落の危険性が無い蝶番としてのメリットがあり、特に扉開時は回転動作のみに制限されるメリットがある。
本考案は交差リンク式左右開き蝶番のメリットを生かしながら、一方で扉下側にリンクを使用せずに左右開きを実現するものである。
【課題を解決するための手段】
【０００４】  上記目的を達成する為に、本願請求項１の考案は扉の上側に対し交差リンク式左右開き蝶番を取付することから始まる。
この状態では扉の上部は交差リンク式左右開き蝶番にて扉の開閉動作は制限されているものの、扉の下部はなんら保持がされていないので、扉の自重により開閉動作のみならず扉はあらゆる方向に動いてしまい、安定的な扉の動作ができない。
そこで扉の下方右側及び下方左側にボールプランジャ等を設け、門口下部にボールプランジャの通過する溝を設け、その溝により扉の回転軌跡を制限することにより、扉が左右同時に開くことを制限するとともに、扉が閉状態の時は左右どちらからも開動作が可能となる。
【考案を実施するための形態】
【０００５】  以下本考案にかかわる両開き扉の保持構造の実施の形態を図面に従って説明する。
【０００６】  図１に於いて、この状態は扉の閉状態における外観を示し、扉ｃは交差リンク式左右開き蝶番ａ、ｂによって上部を保持する。
又、下方右側及び下方左側にボールプランジャｅ等を設け、門口下部にボールプランジャｅの通過する溝を設け、その溝により扉の回転軌跡を制限することを目的とする扉構造となっている。
【０００７】  図２に於いて、この状態は扉の上部を支える交差リンク式左右開き蝶番の回転軌跡を示し、交差リンク式左右開き蝶番は蝶番のベースａ、および蝶番のドア側ｂによって構成されている。
【０００８】  図３に於いては門口下部ｇを上面から見た状態を示し、ボールプランジャの通過する溝ｆが扉の回転軌跡を制限していることを示す。
【０００９】  以上本考案の実施の形態について説明してきたが、本考案はこれに限定されることなく請求項の記載の範囲内において各種の変形、変更が可能なことは該当業者には自明であろう。
【考案の効果】
【００１０】  以上説明したように、本考案による開閉機構によれば、扉の上部に対しだけ交差リンク式左右開き蝶番を取付する場合であっても、１枚扉の下方右側及び下方左側にボールプランジ等を設け、門口下部にボールプランジャの通過する溝を設け、その溝により扉の回転軌跡を制限することを目的とする扉構造とすれば、左右両側とも開閉可能な扉を安全な状態で尚且つ低コストで提供できうる。
また、この構造ならば門口の下側の干渉物が無いため、建物の扉に使用した場合でも人の出入りに邪魔になることはない。
【図面の簡単な説明】
【図１】本考案に関わる扉及び門口の閉形態を示す正面図を示す。
【図２】本考案に関わる交差リンク式左右開き蝶番の左右の回転軌跡を示す。
【図３】本考案に関わる門口下部のボールプランジャの通過する溝を示す。
【符号の説明】ａ、        交差リンク式左右開き蝶番ベース
ｂ、        交差リンク式左右開き蝶番扉側
ｃ、        扉本体
ｄ、        取手
ｅ、        ボールプランジャ
ｆ、        ボールプランジャ通過溝
ｇ、        門口下部
【図１】
0003151819.tif 000003
【図２】
0003151819.tif 000004
【図３】
0003151819.tif 000005
(57)【要約】【課題】  ペットの飼い主が特別な思い入れを持てるペット用ハウスを提供すること。【解決手段】  ペットの居住空間を囲う外壁と当該外壁の上部を覆う屋根と前記外壁に設けられたペットの出入口とを備えたペット用ハウスにおいて、前記外壁および屋根は、前記ペットの飼い主の住宅の外壁および屋根の外観を模して形成したこと。【選択図】  図１
0003151878.tif 000002
【実用新案登録請求の範囲】
【請求項１】
ペットの居住空間を囲う外壁と当該外壁の上部を覆う屋根と前記外壁に設けられたペットの出入口とを備えたペット用ハウスにおいて、前記外壁および屋根は、前記ペットの飼い主の住宅の外壁および屋根の外観を模して形成したことを特徴とするペット用ハウス。
【考案の詳細な説明】
【技術分野】
【０００１】
本考案は、ペット用ハウスに係り、特に、ペットの居住空間を囲う外壁と当該外壁の上部を覆う屋根とを備えたペット用ハウスに関する。
【背景技術】
【０００２】
例えば犬小屋は、犬の居住空間を覆う外壁と当該外壁の上部を覆う屋根とを備えており、広く市販されている。
【０００３】
しかし、市販の犬小屋の多くは、方形に形作られた外壁に、平凡な三角屋根を乗せたデザインであり、特徴に欠けるものであった。ペットが家族同様に扱われる今日、ペット用ハウスにも特別感が求められている。
【先行技術文献】
【特許文献】
【０００４】
【特許文献１】実開平０７−００７４０２号公報
【考案の概要】
【考案が解決しようとする課題】
【０００５】
本考案は、かかる従来例の有する不都合を改善し、特に、ペットの飼い主が特別な思い入れを持てるペット用ハウスを提供することを、その課題とする。
【課題を解決するための手段】
【０００６】
この課題を解決するため、本願の考案者は、ペットの飼い主の住宅を模したデザインで、ペット用ハウスを形成することを考案した。
【０００７】
本願の考案は、次の構成を採っている。
【０００８】
（１）ペットの居住空間を囲う外壁と当該外壁の上部を覆う屋根と前記外壁に設けられたペットの出入口とを備えたペット用ハウスにおいて、前記外壁および屋根は、前記ペットの飼い主の住宅の外壁および屋根の外観を模して形成したことを特徴とするペット用ハウス。
【考案の効果】
【０００９】
本考案は、以上のように構成することで、飼い主は、自己の住宅とほぼ同じ外観のペット用ハウスを持つことができ、ペットの飼い主が特別な思い入れを持てるペット用ハウスを提供することができる。
【図面の簡単な説明】
【００１０】
【図１】飼い主の住宅の外観と、ペット用ハウスの外観との対比写真であり、（ａ）は飼い主の住宅の外観を示し、（ｂ）はペット用ハウスの外観を示す。
【図２】図１に示す住宅の外観図である。
【図３】図１に示す住宅の１階の間取図である。
【図４】図１に示す住宅の２階の間取図である。
【図５】図１に示すペット用ハウスの外観図である。
【図６】図１に示すペット用ハウスの上方図および下方図である。
【考案を実施するための形態】
【００１１】
以下、本願考案の一実施形態を図面を参照しつつ説明する。
【００１２】
図１（ａ）は飼い主の住宅の外観を示しており、この外観を模したペット用ハウスを図１（ｂ）のように製作する。
【００１３】
図２は、図１（ａ）に示した住宅の外観設計図である。この住宅は２階建てになっており、図３および図４に示す間取図のように室内が設計されている。住宅の建築の際には、図２，図３および図４のような設計図が作成される。今日多くの場合はＣＡＤデータとして寸法データを含む設計図が作成される。
【００１４】
この住宅の図面に基づいてペット用ハウスの設計図を作成してゆく。基になる住宅の図面を利用するので、ペット用ハウスの図面を１から作成する必要がなく、手間を省ける。
【００１５】
まず、住宅の図面を簡略化する。例えば、ペットの居住空間は単に空洞となっていればよいので、住宅の２階部分は削除する。また、ペットの居住空間に間取りが必要ない場合は、１階の間取図から外壁（窓や扉を含む）の部分だけを残して室内の線を削除する。また、玄関部分にペットの出入口を設けるため、玄関部分にペットの出入り可能な大きさの開口部を形成する。外壁に付属する通気口や雨樋等も、必要に応じて削除する。
【００１６】
例えば以上のように簡略化した図面の、寸法データを全体的に縮小し、ペット用ハウスとして妥当な大きさの寸法に変換する。
【００１７】
これらの過程を経て、図５および図６に示すペット用ハウスの設計図が作成される。ペット用ハウスは、ペットの居住空間１を囲う外壁２と、当該外壁２の上部を覆う屋根３と、前記外壁２に設けられたペットの出入口４とを備えている。
【００１８】
そして、この設計図に基づいてペット用ハウスを形成し、外装の素材も住宅の素材感を真似ることにより、飼い主の住宅にそっくりのペット用ハウスが図１（ｂ）のように完成する。ここで、この図１（ｂ）に示すペット用ハウスは、外壁の下部を覆う床板と、この床板を支える脚とを供えている。
本実施形態において、屋根３は、外壁２の上端部に載置されており、屋根３を持ち上げることによってハウスから取り外せるようになっている。屋根３を取り外すことによって、ハウス内の清掃が容易となる。外壁２の上端部には、屋根３の形状に応じた三角の起伏があり、また、当該屋根３の外壁２と接する面にも同様の起伏があるので、両者の起伏を一致させることにより、外壁２に対して屋根３の位置決めを行うことができる。
【００１９】
以上説明したように、本願によれば、飼い主は、自己の住宅とほぼ同じ外観のペット用ハウスを持つことができ、ペットの飼い主が特別な思い入れを持てるペット用ハウスを提供することができる。
【００２０】
本願のペット用ハウスは、飼い主が自分で発注して製造されてもよいし、飼い主以外の者が発注して飼い主にプレゼントしてもよい。また、住宅の新築の際に、業者から施主にプレゼントしてもよいし、新築のオプションとして購入できるようにしてもよい。
【符号の説明】
【００２１】
１  ペットの居住空間
２  外壁
３  屋根
４  出入口
【図２】
0003151878.tif 000003
【図３】
0003151878.tif 000004
【図４】
0003151878.tif 000005
【図５】
0003151878.tif 000006
【図６】
0003151878.tif 000007
【図１】
0003151878.tif 000008